(57)【要約】【課題】壁パネルの取り付けを強固で、且つ安定した状態とすることができる壁パネルの取付け構造を提供する。【解決手段】構造躯体３に固定された下地金物７Ａ，７Ｂに、稲妻プレート１９Ａ，１９Ｂを介してＡＬＣパネル１が取り付けられるＡＬＣパネル１の取付け構造９Ａ，９Ｂにおいて、稲妻プレート１９Ａ，１９Ｂは、ＡＬＣパネル１にボルト止めされるパネル取付部１９ｂと、ＡＬＣパネル１との間で下地金物７Ａ，７Ｂを挟持する挟持部１９ｃと、を有し、挟持部１９ｃを貫通すると共に、下地金物７Ａ，７Ｂに螺合して稲妻プレート１９Ａ，１９Ｂを下地金物７Ａ，７Ｂ側に押圧するビス２５を備える。この取付け構造９Ａ，９Ｂによれば、銃砲ピンを打ち込むことなくビス止めによってＡＬＣパネル１を取り付けるので、ＡＬＣパネル１の取付けを、強固で、且つ安定した状態とすることができる。【選択図】図２
2010242463.tif 000002
【特許請求の範囲】
【請求項１】
構造躯体に固定された下地金物に、取付金物を介して壁パネルが取り付けられる壁パネルの取付け構造において、
前記取付金物は、前記壁パネルにボルト止めされるパネル取付部と、前記壁パネルとの間で前記下地金物を挟持する挟持部と、を有し、
前記挟持部を貫通すると共に、前記下地金物に螺合して前記挟持部を前記下地金物側に押圧するビスを備えることを特徴とする壁パネルの取付け構造。
【請求項２】
前記ビスは、前記下地金物に螺合するねじ部と、前記ねじ部よりも先端側に設けられると共に前記下地金物に下孔を形成する切刃部と、を有し、
前記切刃部の有効長さは、前記取付金物の挟持部の板厚と前記下地金物の板厚との合計板厚よりも長いことを特徴とする請求項１記載の壁パネルの取付け構造。
【請求項３】
前記取付金物には、前記ビスが挿通する挿通孔が形成されていることを特徴とする請求項１または２記載の壁パネルの取付け構造。
【請求項４】
前記壁パネルは、軽量気泡コンクリートパネルであることを特徴とする請求項１〜３のいずれか一項記載の壁パネルの取付け構造。
【発明の詳細な説明】
【技術分野】
【０００１】
本発明は、軽量気泡コンクリートパネルなどの壁パネルが略Ｌ字形鋼材などの下地金物に取り付けられた壁パネルの取付け構造に関する。
【背景技術】
【０００２】
鉄骨造（Ｓ造）や鉄筋コンクリート造（ＲＣ造）の建物における壁パネルの取付け構造としては、壁パネル取付け位置の上下で構造躯体に固定された下地金物間に壁パネルが取り付けられる場合がある。この種の壁パネルの取付け構造では、稲妻プレートなどの取付金物を壁パネルの所定位置に取り付け、取付金物が取り付けられた壁パネルを下地金物間に建て込んで取り付けていく。取付金物を利用した壁パネルの取付け構造としては、例えば、特許文献１に記載の技術が知られている。
【先行技術文献】
【特許文献】
【０００３】
【特許文献１】特開２００３−９６９５５号公報
【発明の概要】
【発明が解決しようとする課題】
【０００４】
しかしながら、従来の取付け構造では、取付金物を貫通するアンカーピンを下地金物に打ち込んで壁パネルを取り付けていたため、アンカーピンの先端が斜めにそれて下地金物と取付金物との間の隙間に入り込むなどして壁パネルの取付けが不安定になる虞があった。
【０００５】
本発明は、以上の課題を解決することを目的としており、壁パネルの取付けを強固で、且つ安定した状態とすることが可能になる壁パネルの取付け構造を提供することを目的とする。
【課題を解決するための手段】
【０００６】
本発明は、構造躯体に固定された下地金物に、取付金物を介して壁パネルが取り付けられる壁パネルの取付け構造において、取付金物は、壁パネルにボルト止めされるパネル取付部と、壁パネルとの間で下地金物を挟持する挟持部と、を有し、挟持部を貫通すると共に、下地金物に螺合して挟持部を下地金物側に押圧するビスを備えることを特徴とする。
【０００７】
本発明に係る壁パネルの取付け構造では、取付金物の挟持部が、壁パネルとの間で下地金物を挟み、さらに、挟持部を貫通して下地金物に螺合するビスによって、壁パネルが取付金物を介して下地金物に取り付けられる。その結果、アンカーピンなどの銃砲ピンを打ち込む代わりにビスのねじ込みによって取り付けできるため、銃砲ピンを打ち込む場合と違ってビスが斜めにそれて先端が下地金物と取付金物との間の隙間に入り込むことも無く、壁パネルの取り付けを強固で、且つ安定した状態とすることができる。さらに、銃砲ピンを打ち込む場合には、その打鋲音が大きいため作業時のストレスも大きく、また、周辺住民への配慮なども必要になって作業効率が低下し易いが、本発明によれば、そのような作業負担は解消できるため、作業を効率よく進める上でも有利である。さらに、銃砲ピンは下地金物に貫入する際に、その摩擦熱によって下地金物と融着して結合されるため、一旦、打ち込むと取り外しが非常に困難であるが、上記構成では、ビスが下地金物に螺合して結合されるので、逆回転させるだけで簡単に取り外すことができる。建築物の長寿命化により、建築物の維持保全の一環として、壁パネルなどの部材交換の必要性が高まってきている。取付金物を簡単に取り外すことができれば、将来壁パネルを交換する際に、簡単に古い壁パネルを取り外して新しい壁パネルを取り付けることができる。
【０００８】
さらに、上記のビスは、下地金物に螺合するねじ部と、ねじ部よりも先端側に設けられると共に下地金物に下孔を形成する切刃部と、を有し、切刃部の有効長さは、取付金物の挟持部の板厚と下地金物の板厚との合計板厚よりも長いと好適である。取付金物の挟持部を貫通したビスは、まず、切刃部が下地金物を穿って下孔を形成し、次に、ねじ部が下孔にねじ溝を形成しながら進行して下地金物に螺合する。下孔形成のために切刃部が下地金物を削っている際にはビスが空回りしたり、また、空回りしないまでもリード分の進行距離が得られなかったりする。この状態で、挟持部とねじ部とが螺合していると、ビスの空回り等によって挟持部にはビスの後退方向に力が働いてしまい、下地金物に対して浮き上がる虞がある。しかしながら、上記構成では、切刃部の長さは、挟持部の板厚と下地金物の板厚との合計板厚よりも長いため、ビスに空回り等が発生したとしても、その位置において挟持部とねじ部とは螺合しておらず、結果として挟持部の浮き上がりを抑止して取付金物を下地金物に強固に取り付けることが可能になる。
【０００９】
さらに、取付金物には、ビスが挿通する挿通孔が形成されていると好適である。予め挿通孔を形成しておくことで、取付金物への孔あけ加工やタップ加工を軽減でき、これらの加工に要する余計な捻りトルクが不要になるため、作業性を向上させることができる。
【００１０】
さらに、壁パネルは、軽量気泡コンクリートパネルであると好適である。軽量気泡コンクリートパネルは、軽量で、且つ断熱性等にも優れている。また、ＰＣパネルなどに比べて加工性に富むため、鋼材用のビスでも容易にパネルに打ち込むことができる。
【発明の効果】
【００１１】
本発明によれば、壁パネルの取付けを強固で、且つ安定した状態とすることが可能になる。
【図面の簡単な説明】
【００１２】
【図１】本発明の第１実施形態に係る壁パネルの取付け構造を適用してＡＬＣパネルが下地金物に取り付けられた状態を示す斜視図である。
【図２】ＡＬＣパネルの下部における取付け構造を示す断面図である。
【図３】ＡＬＣパネルの上部における取付け構造を示す断面図である。
【図４】本実施形態に係るビスの側面図である。
【図５】稲妻プレートを示し、（ａ）は平面図、（ｂ）は（ａ）のｂ−ｂ線に沿った断面図である。
【図６】ＡＬＣパネルに取付金物を組み付ける際の状態を示す分解斜視図である。
【図７】ＡＬＣパネルを下地金物に取り付ける際の状態を示す斜視図である。
【発明を実施するための形態】
【００１３】
以下、本発明の好適な実施形態について図面を参照しながら説明する。図１に示されるように、軽量気泡コンクリートパネル（Autoclaved Light-weight Concrete）（以下、「ＡＬＣパネル」という）１は、鉄筋コンクリート（Ｒeinforced-Concrete）造の構造躯体３の所定位置に順次建て込まれ、専用の稲妻プレート１９Ａ，１９Ｂを介して上下に配置された下地金物７Ａ，７Ｂに取り付けられている。稲妻プレート１９Ａ，１９Ｂは取付金物に相当する。
【００１４】
下地金物７Ａ，７Ｂは、構造躯体３に形成された開口の床側の下部及び天井側の上部に沿って配置されており、構造躯体３に埋め込まれた鋼材に溶接されるなどして固定されている。下地金物７Ａ，７Ｂ（図２及び図３参照）は略L字形鋼材からなり、構造躯体３に当接する水平辺７ａと、水平辺７ａから立設された垂直辺７ｂとを有する。本実施形態に係る取付け構造９Ａ，９Ｂは、ＡＬＣパネル（壁パネル）１、下地金物７Ａ，７Ｂ及び稲妻プレート１９Ａ，１９Ｂで構成される。
【００１５】
まず、下側の下地金物７ＡへのＡＬＣパネル１の取付け構造９Ａについて説明する。図２に示されるように、下地金物７Ａの水平辺７ａ上には、ロッキングスペーサ１１を介してＡＬＣパネル１が載置されており、垂直辺７ｂはＡＬＣパネル１の側面１ａに当接している。
【００１６】
ＡＬＣパネル１には、リング状の頭部１３ａを有するボルト１３が固定されており、ボルト１３の軸部１３ｂがＡＬＣパネル１の側面１ａから突き出している。なお、ボルト１３は、ＡＬＣパネル１に形成された穴内に頭部１３ａ側が挿入され（図６参照）、頭部１３ａを交差するように挿入された鋼棒１５によって抜けないように固定されている。
【００１７】
ボルト１３の軸部１３ｂには、稲妻プレート１９Ａが組み付けられている。稲妻プレート１９Ａは、軸部１３ｂが通されてＡＬＣパネル１の側面１ａに当接する。なお、本実施形態では、稲妻プレート１９ＡがＡＬＣパネル１の側面１ａに当接するが、稲妻プレートとＡＬＣパネル１との間で別体のプレートを挟むような態様であってもよい。
【００１８】
稲妻プレート１９Ａ（図５参照）は、略矩形で平板状の鋼材からなり、中央部分に段差１９ａが形成されるように曲げ加工が施されている。段差１９ａを挟んで一方側がＡＬＣパネル１にボルト止めされるパネル取付部１９ｂであり、他方側がＡＬＣパネル１との間で下地金物７Ａを挟持する挟持部１９ｃである。
【００１９】
パネル取付部１９ｂには、ボルト１３の軸部１３ｂが挿通する穴１９ｄが形成されている。パネル取付部１９ｂから突き出た軸部１３ｂにはナット２１が螺合し、ナット２１の締め付けによって、稲妻プレート１９ＡがＡＬＣパネル１側に押圧されて固定される。
【００２０】
稲妻プレート１９Ａの段差１９ａは、下地金物７Ａの厚みよりも僅かに低い程度の高低差Ｌ（図５参照）を有し、挟持部１９ｃは、ＡＬＣパネル１との間で下地金物７Ａの垂直辺７ｂを挟み付けている。挟持部１９ｃには、ビス２５が貫通する挿通孔１９ｅが形成されている。さらに、挟持部１９ｃの端部には、作業性を高めるために角が落とされた隅切り部１９ｆが形成されている。なお、稲妻プレート１９Ａとパネル１との間で別体のプレートを挟む場合における段差１９ａは、下地金物７Ａの厚みから別体のプレートの厚みを減じた差分よりも僅かに低い程度の高低差Ｌであるとよい。
【００２１】
図４に示されるように、ビス２５は、下地金物７にタップ加工を施す雄ねじが形成されたねじ部２７と、ねじ部２７の基端側で挟持部１９ｃに当接する頭部２９と、を備えており、さらに、ねじ部２７よりも先端側には、下孔を形成するための切刃部３１が設けられている。ねじ部２７は、ねじ山が不完全な不完全ねじ部２７ｂと、ねじ山が完全な完全ねじ部２７ａとを有する。なお、ねじ部２７と頭部２９との間に、ねじ山の無い部分があっても差し支えない。
【００２２】
切刃部３１は、先端で孔を穿つ尖形部３１ａと、リーマ部３１ｂとを有する。リーマ部３１ｂは、尖形部３１ａからねじ部２７側に向かって直線状に形成された複数本の刃を有し、尖形部３１ａで形成された下孔を拡大してねじ部２７が進入する下孔を形成する。
【００２３】
切刃部３１の有効長さ、すなわち、リーマ部３１ｂの始端からねじ部２７の始端までの長さＤ１は稲妻プレート１９Ａの挟持部１９ｃの板厚ｄ１及び下地金物７Ａの垂直辺７ｂの板厚ｄ２の合計板厚Ｄ２よりも長い。また、ビス２５の働き長さ、すなわち、完全ねじ部２７ａの始端から頭部２９までの長さＤ３は、合計板厚Ｄ２よりも長い。
【００２４】
ビス２５のねじ部２７は、挟持部１９ｃ及び下地金物７Ａの垂直辺７ｂを貫通し、下地金物７Ａに螺合している。ビス２５の締め付けによって、稲妻プレート１９Ａと下地金物７Ａとが強固に取付けられて、その結果として、ＡＬＣパネル１は稲妻プレート１９Ａを介して下地金物７Ａに取り付けられている。
【００２５】
図３に示されるように、ＡＬＣパネル１の上部も、下側の取付け構造９Ａと同様の取付け構造９Ｂによって上側の下地金物７Ｂに取り付けられている。なお、上側の取付け構造９Ｂに関して、下側の取付け構造９Ａと同様の部材や要素については、同一の符号を付して説明を省略する。
【００２６】
ＡＬＣパネル１の側面１ａから突き出したボルト１３の軸部１３ｂには、稲妻プレート１９Ｂが通され、ナット２１の締め付けによって稲妻プレート１９ＢがＡＬＣパネル１にボルト止めされている。
【００２７】
稲妻プレート１９Ｂは、パネル取付部１９ｂ、挟持部１９ｃ及びパネル取付部１９ｂと挟持部１９ｃとをつなぐ段差１９ａを有する。パネル取付部１９ｂはボルト１３の軸部１３ｂが通され、ナット２１によって締結されている。挟持部１９ｃは、ＡＬＣパネル１との間で下地金物７Ｂの垂直辺７ｂを挟み付けている。
【００２８】
挟持部１９ｃには、ビス２５が貫通する挿通孔１９ｅが形成されている。ビス２５の先端側には、下地金物７Ｂの垂直辺７ｂに下孔を形成するための切刃部３１が設けられている。ビス２５のねじ部２７は、挟持部１９ｃを貫通し、垂直辺７ｂの下孔周りに雌ねじを切って螺合している。ビス２５の締め付けにより、下地金物７Ｂの垂直辺７ｂは、ＡＬＣパネル１と挟持部１９ｃとの間で挟持され、その結果として、ＡＬＣパネル１は稲妻プレート１９Ｂを介して下地金物７Ｂに取り付けられている。
【００２９】
次に、ＡＬＣパネル１を構造躯体３に建て込む際の手順について説明する。なお、ＡＬＣパネル１の上部及び下部を取り付ける手順は共通する手順も多いため、下部の取付け手順を中心に説明を行ない、上部の取付け手順については簡単に説明する。
【００３０】
図６に示されるように、ＡＬＣパネル１の側面１ａの下部に、リング状の頭部１３ａを有するボルト１３を差し込むための孔空けを行い、その孔にボルト１３を頭部１３ａ側から差し入れる。次に、ボルト１３に直交する方向に沿ってＡＬＣパネル１内に鋼棒１５を差し込み、鋼棒１５を頭部１３ａに挿入してボルト１３を所定位置に固定する。
【００３１】
次に、稲妻プレート１９Ａのパネル取付部１９ｂに軸部１３ｂを挿通させ、ナット２１で締め付ける。なお、稲妻プレート１９Ａの挟持部１９ｃは、ＡＬＣパネル１を建て込む際の邪魔にならないようにＡＬＣパネル１の構造躯体３から遠ざかる側に退避させておく。この状態で、ＡＬＣパネル１の下部への稲妻プレート１９Ａの仮止めが完了する。その後、ＡＬＣパネル１の上部にも同様の手順に従って稲妻プレート１９Ｂの仮止めを行う。
【００３２】
稲妻プレート１９Ａ，１９Ｂの仮止めが完了すると、ＡＬＣパネル１を構造躯体３の所定位置まで搬送し、建て込み作業を行う。建て込みに際して、既に構造躯体３に取り付けられている他のＡＬＣパネル１に並ぶようにＡＬＣパネル１を仮置きし、下側の下地金物７Ａと上側の下地金物７Ｂとの間で位置合わせを行う。
【００３３】
その後、下地金物７Ａを引っ掛けるように、下側の稲妻プレート１９Ａの挟持部１９ｃをボルト１３を中心に回転させ、所定の方向に向けて、ナットを本締めする（図７参照）。ここで、挟持部１９ｃには隅切り部１９ｆが設けられているので、挟持部１９ｃの角が構造躯体３にぶつかることなく稲妻プレート１９Ａを所定の方向に回転させることができる。
【００３４】
挟持部１９ｃを下地金物７Ａに結合するための位置が決まれば、ビス２５を挟持部１９ｃの挿通孔１９ｅに差し込み、所定の押圧をかけながらスクリュードライバーでねじ込んでいく。ビス２５は回転しながら進行し、切刃部３１が下地金物７Ａに下孔を形成する。
【００３５】
ビス２５の切刃部３１の有効長さＤ１は、稲妻プレート１９Ａの稲妻プレート１９Ａの板厚ｄ１及び下地金物７Ａの板厚ｄ２の合計板厚Ｄ２よりも長くなっている。切刃部３１の有効長さＤ１が合計板厚Ｄ２よりも長いことで奏される効果について説明する。
【００３６】
ビス２５の切刃部３１が下地金物７Ａに当接して下孔を形成する際には、ビス２５が空回りしたり、また、空回りしないまでもリード分の進行距離が得られなかったりする。この状態で、稲妻プレート１９Ａとねじ部２７とが螺合していると、ビス２５の空回り等によって稲妻プレート１９Ａにはビス２５の後退方向に力が作用し、下地金物７Ａ，７Ｂに対して浮き上がる虞がある。しかしながら、本実施形態では、切刃部３１の有効長さＤ１が稲妻プレート１９Ａの板厚ｄ１及び下地金物７Ａの板厚ｄ２との合計板厚Ｄ２よりも長いため、ビス２５が空回り等しても、その位置では、ねじ部２７が稲妻プレート１９Ａと螺合しておらず、結果として、稲妻プレート１９Ａの浮き上がりを抑止して稲妻プレート１９Ａを下地金物７Ａに強固に、且つ安定した状態に取り付けることが可能になる。
【００３７】
さらに、稲妻プレート１９Ａの挟持部１９ｃには、ビス２５が挿通される挿通孔１９ｅが予め形成されている。従って、稲妻プレート１９Ａへの孔あけ加工やタップ加工を軽減でき、これらの加工に要する余計な捻りトルクが不要になるため、作業性を向上させることができる。
【００３８】
切刃部３１で下孔を形成した後、ビス２５の進行に伴ってねじ部２７が下孔の周囲に雌ねじを切りながら螺合し、ビス２５の頭部２９は、稲妻プレート１９Ａに当接して稲妻プレート１９Ａを下地金物７Ａ側に押圧する。その結果、下地金物７Ａに稲妻プレート１９Ａが強固に取り付けられた状態になり、ＡＬＣパネル１の下地金物７Ａへの取り付けが完了する。
【００３９】
なお、稲妻プレート１９Ａの板厚ｄ１と下地金物７Ａの板厚ｄ２との合計板厚Ｄ２は、ビス２５の働き長さＤ３よりも薄いため、ビス２５をねじ込んだ際に、ねじ部２７が下地金物７Ａまで確実に到達して螺合することになり、ビス２５の抜けが防止される。
【００４０】
以上、ＡＬＣパネル１と下側の下地金物７Ａとの取り付けを説明したが、上側も同様である。すなわち、上側の下地金物７Ｂを引っ掛けるように、上側の稲妻プレート１９Ｂの挟持部１９ｃを回転させ、ＡＬＣパネル１との間で下地金物７Ｂを挟み付けるようにして挟持部１９ｃを下地金物７Ｂにビス止めする。その結果、上側の下地金物７ＢへのＡＬＣパネル１の取り付けが完了する。
【００４１】
以上のＡＬＣパネル１の取付け構造９Ａ，９Ｂによれば、稲妻プレート１９Ａ，１９Ｂの挟持部１９ｃが、ＡＬＣパネル１との間で下地金物７Ａ，７Ｂを挟み、さらに、挟持部１９ｃを貫通してＡＬＣパネル１に螺合するビス２５によって、ＡＬＣパネル１が稲妻プレート１９Ａ，１９Ｂを介して下地金物７Ａ，７Ｂに取り付けられる。従って、アンカーピンなどの銃砲ピンを打ち込む必要はなく、代わりにビス２５のねじ込みによって取り付けできる。ビス２５を用いた場合には、銃砲ピンを打ち込む場合と違ってビス２５の先端が稲妻プレート１９Ａ，１９Ｂと下地金物７Ａ，７Ｂとの間の隙間に入り込むことはない。その結果、ＡＬＣパネル１の下地金物７Ａ，７Ｂへの取付けを、強固で、且つ安定した状態とすることが可能になる。さらに、銃砲ピンは下地金物に貫入する際に、その摩擦熱によって下地金物と融着して結合されるため、一旦、打ち込むと取り外しが非常に困難であるが、本実施形態では、ビス２５が下地金物７Ａ，７Ｂに螺合して結合されるので、逆回転させるだけで簡単に取り外すことができる。
【００４２】
また、銃砲ピンを打ち込んで取り付ける場合には、作業者の熟練度に左右されて手戻りも多くなるが、本実施形態では、ビス止めなので若干斜め打ちになっても確実に取り付けることができ、作業者の熟練度に左右され難い。
【００４３】
さらに、銃砲ピンを打ち込んでＡＬＣパネルを取り付ける場合には打鋲音も大きく（爆音に）なって作業時のストレスも大きく、また、周辺住民への配慮なども必要になる。さらに、銃刀法に基づく警察などへの届け出も必要になって、機材資材の管理が煩雑になりやすい。しかしながら、上記の取付け構造９Ａ，９Ｂでは、ビス止めなので施工時に生じる音は小さくなり、作業者の耳にかける負担を少なくしてストレスを低減でき、労働安全上も有効である。また、銃刀法に基づく警察等への届け出も不要となる。
【００４４】
また、銃砲ピンは、周囲の部分を押しのけながらＡＬＣパネルに進入していく。さらに、火薬やガスの爆発力を利用して打ち込むため、ＡＬＣパネルへの進入速度がとても速い。よってＡＬＣパネルに銃砲ピンが進入する際に、ＡＬＣパネルを弾いて破損させるおそれがあった。この不利益は、壁パネルとしてＰＣパネルを用いた場合に、より顕著になる。これに対して、本実施形態では、ビス２５がＡＬＣパネル１を削りながら、切粉を排出しながら進入していく。よって自身が納まる空間を作りながら進入していくので、破損させにくい。さらに、進入速度が銃砲ピンより遅いので、衝撃的にＡＬＣパネル１を弾くおそれがなく、破損させにくい。
【００４５】
さらに、本実施形態では、ＡＬＣパネル１と稲妻プレート１９Ａ，１９Ｂとの間で下地金物７Ａ，７Ｂを挟持し、ビス２５により強固に結合しているので、例えば、稲妻プレートを下地金物７Ａ，７Ｂに引っ掛けるだけで止めている態様に比べて、ＡＬＣパネル１の取付け強度の向上を期待できる。
【００４６】
さらに、ビス２５の代わりにボルト、ワンサイドボルトまたはリベット等を用いた結合態様では、少なくとも下地金物及び取付金物の両方にボルトなどを差し込む下孔を予め形成したり、ＡＬＣパネルに予め当たり加工を施したりしておく必要があるが、本実施形態では、ビス２５が下地金物７Ａ，７Ｂに下孔を形成し、さらに下地金物７Ａ，７Ｂにタップ加工を施して螺合するので、必ずしも下孔や雌ねじを形成しておかなくても、ＡＬＣパネル１を下地金物７Ａ，７Ｂに取り付けることができる。
【００４７】
なお、本実施形態では、稲妻プレート１９Ａの挟持部１９ｃに積極的にビス２５が挿通する挿通孔１９ｅが予め形成されている。その結果、ビス２５をねじ込む際に発生する捻りトルクを、下地金物７Ａ，７ＢおよびＡＬＣパネル１の穴空け、および下地金物７Ａ，７Ｂのタップ加工に集中でき、その分、施工時に必要な捻りトルクを小さくできる。その結果として、軸径を必要以上に太くする必要がなくなるうえ、作業者の手にかかる負担を軽減できて労働安全にも優れる。
【００４８】
さらに、挟持部１９ｃにビス２５が挿通する挿通孔１９ｅを予め形成しておくことで、ビス２５の縁あき寸法を一定化することができ、所望のビス２５の引き抜き強度を確実に得ることができる。なお、挿通孔１９ｅに代えて、ビス２５を打ち込む目印を設けたり、凹みを設けたりしておく態様も可能であるが、挿通孔１９ｅの方が、ビス２５を差し込んだ際にぶれが少なく、また、貫通する際の余計な捻りトルクに配慮する必要がなくなり、作業時間の短縮が可能になり、作業性を向上できる。
【００４９】
また、本実施形態では、壁パネルとしてＡＬＣパネル１を例示しているが、本発明に適用できる壁パネルはＡＬＣパネル１に限定されず、例えば、ＰＣパネルへも適用できる。但し、壁パネルがＡＬＣパネル１の場合には、ＰＣパネルに比べて優位性がある。この優位性について説明する。
【００５０】
ＡＬＣパネル１は、耐火、断熱、遮音、軽量及び施工性に優れている。また、ＡＬＣパネル１は、ＰＣパネルなどに比べて加工性に富むため、鋼材用のビス２５でも容易にパネルに打ち込むことができる。
【００５１】
また、ＰＣパネルでは、ＡＬＣパネル１に比べて、ビス２５の切刃部３１によって簡単に下孔を形成することはできない。従って、切刃部３１がＰＣパネルに干渉して下孔を掘り進む際に、ビス２５は、ＰＣパネルに対してリード分の進行距離を得にくい。一方で、ビス２５のねじ部２７に下地金物７Ａ，７Ｂが螺合していると、下地金物７Ａ，７Ｂに対してはビス２５のリード分だけ相対的に後退方向に力が働くため、ビス２５がＰＣパネルに対してリード分の進行距離を得られなければ、結果として、下地金物７Ａ，７ＢをＰＣパネルから後退させてしまう可能性がある。これに対して、ＡＬＣパネル１は加工性に富むため、ビス２５の切刃部３１によって、ＡＬＣパネル１には容易に下孔が開けられ、その結果、ビス２５は、ＡＬＣパネル１に対してリード分の進行距離を得やすく、ＰＣパネルに適用する場合に比べて、下地金物７Ａ，７Ｂを後退させるおそれが少なくなる。
【００５２】
本発明は、以上の実施形態のみに限定されず、例えば、壁パネルは、ＡＬＣパネルに限定されず、ＰＣパネルその他の壁パネルに適用することも可能である。また、本実施形態では、ＲＣ造の構造躯体に壁パネルを建て込んだ態様を例示したが、Ｓ造の構造躯体に壁パネルを適用する態様によっても実現できる。また、本実施形態では、壁パネルを上下で取り付ける縦使いの態様を例示したが、壁パネルを左右で取り付ける横使いに適用することも可能である。また、本実施形態では、下地金物がパネル複数枚に連続する、いわゆる「通し」で用いられた態様を例示したが、パネル１枚毎に分割する、いわゆる「ピース物」の態様でも実現できる。また、本実施形態は、壁パネル内部でボルトのリング部に鋼棒を挿通してボルトを固定した態様について例示したが、雌ねじ部を持つ埋め込み金物にボルトを螺合する態様、雌ねじ部を持つ鋼棒あるいは鋼管にボルトを螺合する態様でも実現できる。また、本実施形態では平板状の稲妻プレートを用いた態様で例示したが、リブを設けたり端を折り返して断面剛性を高めた稲妻プレートを用いた態様でも実現できる。また、下地金物は、複数枚の壁パネルに渡って連続して繋がる長尺の下地アングルや壁パネル１枚ごとに配置される短いアングルなどが含まれる。
【符号の説明】
【００５３】
１…ＡＬＣパネル（壁パネル）、３…構造躯体、７Ａ，７Ｂ…下地金物、９Ａ，９Ｂ…壁パネルの取付け構造、１９Ａ，１９Ｂ…稲妻プレート（取付金物）、１９ｂ…パネル取付部、１９ｃ…挟持部、１９ｅ…ビスの挿通孔、２３…パネル取付部、２５…ビス、２７…ビスのねじ部、３１…ビスの切刃部、Ｄ１…切刃部の有効長さ、Ｄ２…合計板厚、ｄ１…挟持部の板厚、ｄ２…下地金物の板厚。
【図１】
2010242463.tif 000003
【図２】
2010242463.tif 000004
【図３】
2010242463.tif 000005
【図４】
2010242463.tif 000006
【図５】
2010242463.tif 000007
【図６】
2010242463.tif 000008
【図７】
2010242463.tif 000009